(57)【要約】      （修正有）【課題】吸引能力が高く、様々なワークを吸引して、捕集・排出を行うことで、搬送や選別などを行うことが可能なエアロック式ワーク吸引システムを提供する。【解決手段】吸引対象物を含むワーク１２を吸引せしめるワーク吸引機構１４と、吸引せしめられたワーク１２を捕集するエアロック式セパレータ１６と、エアロック式セパレータ１６内のエアーを排気するブロア１８と、を含む。エアロック式セパレータ１６は、中空筐体状のセパレータ本体部と、多数のパンチング穴を有する円板状羽根支持板と円板状羽根支持板の中心部に回転中心軸と該回転中心軸から放射方向に突設された複数枚の羽根板とを含みかつセパレータ本体部内に設置されたドラム体３０と、セパレータ本体部の上部にワーク吸引機構１４からエアー導入部３２と、エアー排出部３４と、を有する。【選択図】図１
0003214135.tif 000002
【実用新案登録請求の範囲】
【請求項１】
吸引対象物を含むワークを吸引せしめるワーク吸引機構と、
前記ワーク吸引機構に接続され、前記吸引せしめられたワークを捕集するエアロック式セパレータと、
前記エアロック式セパレータに接続され、前記エアロック式セパレータ内のエアーを排気するブロアと、
を含み、
前記エアロック式セパレータが、
中空筐体状のセパレータ本体部と、多数のパンチング穴を有する一対の相対向する円板状羽根支持板と前記一対の相対向する円板状羽根支持板の中心部に両端部が回転自在に取り付けられた回転中心軸と該回転中心軸から放射方向に突設された複数枚の羽根板とを含みかつ前記セパレータ本体部内に設置されたドラム体と、前記セパレータ本体部の上部に前記ワーク吸引機構からのエアーを導入するエアー導入部と、前記セパレータ本体部の上部に導入されたエアーを排出するエアー排出部と、前記セパレータ本体部の下部に逆洗エアーを導入する逆洗エアー導入部と、
を有してなる、エアロック式ワーク吸引システム。
【請求項２】
前記セパレータ本体部の下方に設けられかつ前記セパレータ本体部から下方に排出される捕集物を収納圧縮する捕集物圧縮機を設置してなる、請求項１記載のエアロック式ワーク吸引システム。
【請求項３】
前記ブロアの排気から集塵するための集塵機をさらに設置してなる、請求項１又は２記載のエアロック式ワーク吸引システム。
【考案の詳細な説明】
【技術分野】
【０００１】
本考案は、様々なワークを吸引して、捕集・排出を行うことで、搬送や選別などを行うことが可能なエアロック式ワーク吸引システムに関する。
【背景技術】
【０００２】
従来、例えばゴミ処理装置におけるドラム型吸引式回転選別装置として、特許文献１に記載されたものがある。しかし、特許文献１に記載されたドラム型吸引式回転選別装置では、構造上吸引能力が弱いため、小型で軽量のワークしか吸引できないという問題があった。
【先行技術文献】
【特許文献】
【０００３】
【特許文献１】特開平５−２８５４１６
【考案の概要】
【考案が解決しようとする課題】
【０００４】
本考案は上記した問題点に鑑みなされたもので、吸引能力が高く、様々なワークを吸引して、捕集・排出を行うことで、搬送や選別などを行うことが可能なエアロック式ワーク吸引システムを提供することを目的とする。
【課題を解決するための手段】
【０００５】
本考案のエアロック式ワーク吸引システムは、上記した問題を解決するために考案されたもので、吸引対象物を含むワークを吸引せしめるワーク吸引機構と、前記ワーク吸引機構に接続され、前記吸引せしめられたワークを捕集するエアロック式セパレータと、前記エアロック式セパレータに接続され、前記エアロック式セパレータ内のエアーを排気するブロアと、を含み、前記エアロック式セパレータが、中空筐体状のセパレータ本体部と、多数のパンチング穴を有する一対の相対向する円板状羽根支持板と前記一対の相対向する円板状羽根支持板の中心部に両端部が回転自在に取り付けられた回転中心軸と該回転中心軸から放射方向に突設された複数枚の羽根板とを含みかつ前記セパレータ本体部内に設置されたドラム体と、前記セパレータ本体部の上部に前記ワーク吸引機構からのエアーを導入するエアー導入部と、前記セパレータ本体部の上部に導入されたエアーを排出するエアー排出部と、前記セパレータ本体部の下部に逆洗エアーを導入する逆洗エアー導入部と、を有してなる、エアロック式ワーク吸引システムである。
【０００６】
前記セパレータ本体部の下方に設けられかつ前記セパレータ本体部から下方に排出される捕集物を収納圧縮する捕集物圧縮機を設置してなるのが好適である。
【０００７】
前記ブロアの排気から集塵するための集塵機をさらに設置してなるのが好適である。
【考案の効果】
【０００８】
本考案のエアロック式ワーク吸引システムによれば、吸引能力が高く、様々なワークを吸引して、捕集・排出を行うことで、搬送や選別などを行うことが可能なエアロック式ワーク吸引システムを提供することができるという著大な効果を奏する。
【図面の簡単な説明】
【０００９】
【図１】本考案のエアロック式ワーク吸引システムの一つの実施の形態を示す概略説明図である。
【図２】本考案のエアロック式セパレータの分離態様を示す概略説明図である。
【図３】本考案のエアロック式セパレータの構造を示す概略説明図で、（ａ）は正面図、（ｂ）は側面図、（ｃ）は底面図である。
【図４】図３に示したエアロック式セパレータにおける分離態様を示す概略説明図で、（ａ）は正面図、（ｂ）は側面図である。
【考案を実施するための形態】
【００１０】
以下に本考案の実施の形態を図１〜図４に基づいて説明するが、これらは例示的に示されるもので、本考案の技術思想から逸脱しない限り種々の変形が可能なことはいうまでもない。
【００１１】
図１は本考案のエアロック式ワーク吸引システムの設置態様の一例である一つの実施の形態を示す概略説明図である。本考案のエアロック式ワーク吸引システムは、様々なワークを吸引して、捕集・排出を行うことで、搬送や選別などを行うことが可能なエアロック式ワーク吸引システムである。
【００１２】
図１において、符号１０はエアロック式ワーク吸引システムを示す。エアロック式ワーク吸引システム１０は、吸引対象物を含むワーク１２を吸引せしめるワーク吸引機構１４と、前記ワーク吸引機構１４に接続され、前記吸引せしめられたワーク１２を捕集するエアロック式セパレータ１６と、前記エアロック式セパレータ１６に接続され、前記エアロック式セパレータ１６内のエアーを排気するブロア１８と、を含む構成とされている。ワーク１２は、図示例では、コンベアベルト２０の上をワーク１２が搬送されている例を示したが、ワーク１２の形状やワーク１２の重量などは様々であり、また、コンベアベルト２０の形状や搬送方向など、ワーク１２を搬送させるシステムについても様々である。
【００１３】
前記エアロック式セパレータ１６は、中空筐体状のセパレータ本体部２２と、多数のパンチング穴を有する一対の相対向する円板状羽根支持板２４と前記一対の相対向する円板状羽根支持板２４の中心部に両端部が回転自在に取り付けられた回転中心軸２６と該回転中心軸２６から放射方向に突設された複数枚の羽根板２８とを含みかつ前記セパレータ本体部２２内に設置されたドラム体３０と、前記セパレータ本体部２２の上部に前記ワーク吸引機構１４からのエアーを導入するエアー導入部３２と、前記セパレータ本体部２２の上部に導入されたエアーを排出するエアー排出部３４と、前記セパレータ本体部２２の下部に逆洗エアーを導入する逆洗エアー導入部３６と、を有してなる。
【００１４】
また、図１において、３８は捕集物圧縮機で、上記したエアロック式セパレータ１６において捕集され、下方に排出された捕集物を圧縮する機械である。４０は集塵機であり、ブロア１８の排気から集塵するための集塵機である。なお、捕集物圧縮機３８及び集塵機４０は必要に応じてエアロック式ワーク吸引システム１０に設置すればよい。
【００１５】
図２はエアロック式セパレータ１６の分離態様を示す概略説明図であり、Ａ１は、エアロック式セパレータ１６のセパレータ本体部上部に前記したワーク吸引機構１４から導入されるエアーであり、Ａ２は、エアロック式セパレータ１６のセパレータ本体部上部から前記したブロア１８によって排気されるエアーである。
【００１６】
Ｂ１はエアロック式セパレータ１６のセパレータ本体部下部に導入される逆洗エアーであり、逆洗エアーＢ１を導入する作用を行う逆洗エアー導入部３６（図４）によって導入される。なお、上記したエアーＡ１とエアーＡ２とはセパレータ本体部上部を貫通して流れるエアー流ＡＳとなる。一方、セパレータ本体部下部に導入される逆洗エアーＢ１はセパレータ本体部下部に導入されるのみで貫通エアーとはならない。
【００１７】
図３はエアロック式セパレータ１６の構造を示す概略説明図で、図３（ａ）に示される正面図において、２２Ａは中空筐体状のセパレータ本体部２２を構成するカバー体、２４は当該カバー体２２Ａの内面側に設けられた一対の相対向する円板状羽根支持板で、当該円板状羽根支持板２４には多数のパンチング穴（図示せず）が穿設されている。４２は前記円板状羽根支持板を回転させる作用をおこなうモータである。３２は前記ワーク吸引機構１４からのエアーを導入するエアー導入部３２である。
【００１８】
図３（ｂ）に示される側面図において、３０はドラム体であり、前記パンチング穴を有する一対の円板状羽根支持板２４（図示例では概略的に環状形状部のみが示されている）と、前記円板状羽根支持板２４の中心部に両端部が取り付けられかつ前記セパレータ本体部の中空部分に横方向に回転自在に設けられた回転中心軸２６と該回転中心軸２６から放射方向に突設された複数の羽根板２８（図示例では６枚）とを含んでいる。同図において、４４は覗き窓、４６は開閉扉、矢印Ｘはドラム体３０の回転方向を示すものである。
【００１９】
図３（ｃ）に示される底面図において、４８は底板、５０は取り出し用開口部である。
【００２０】
図４は、図３に示したエアロック式セパレータにおける捕集分離態様を示す概略説明図で、５２は上部にエアー排出部３４を設けてあるタワーで、エアー流ＡＳは当該タワー５２を介して排出される。なお、図３において、図４に図示されている上記タワー５２の図示は省略されている。符号３６は逆洗エアーを導入する逆洗エアー導入部であり、導入部導入口とされている。なお、図３（ｂ）に示されている開閉扉４６は図４（ｂ）ではその図示は省略されている。
【００２１】
上記した構成により、その作用を説明する。
本考案のエアロック式ワーク吸引システム１０においては、吸引対象物を含むワーク１２がワーク吸引機構１４で吸引されてエアロック式セパレータ１６に送られる。ワーク１２はテープ状物、シート状物、ペットボトルやガラス瓶、或いは穀物など、およそ吸引可能な程度の重量物であれば、様々なものをワーク１２とすることができる。
【００２２】
エアロック式セパレータ１６においては、パンチング穴を有する円板状羽根支持板を含むドラム体３０の上部及び下部で違う作用が実行される。前記ドラム体３０の上部では、ワーク吸引機構１４から導入されるエアーＡ１がブロア１８の排気によってエアーＡ２となり、エアー貫通流となってワーク吸引機構１４側から流れ来るテープ状物やシート状物などのワーク１２を捕集する。一方、前記ドラム体３０の下部では逆洗エアーが導入されることによってエアーの遮断が行われ、それにより上記したドラム体３０の上部で捕集された捕集物の排出が行われ、また導入されたエアーによって上記した円板状羽根支持板のパンチング穴の逆洗が行われる。
【００２３】
そして、本考案のエアロック式ワーク吸引システム１０においては、ブロア１８の排気量などを調節することで、ワーク吸引機構１４で吸引できる重量なども変えられるため、吸引したいワーク１２の重量や形状或いは材質などに応じて、適宜調節することが可能である。また、エアロック式ワーク吸引システム１０では、エアロック式セパレータ１６における風量を例えば１００ｍ３／ｈとしたりすることもできるため、従来のドラム型吸引式回転選別装置などよりも、吸引能力が高く、様々なワークを吸引して、捕集・排出を行うことで、搬送や選別などを行うことが可能である。
【００２４】
本考案のエアロック式ワーク吸引システム１０では、ワーク１２を吸引して、エアロック式セパレータ１６でワーク１２の選別を行うことでワーク１２に対して風力選別を行うこともできる。また、本考案のエアロック式ワーク吸引システム１０では、ワーク１２を吸引して、エアロック式セパレータ１６を介してワーク１２の捕集・排出を行うことで、ワーク１２の搬送を行うこともできる。このように、本考案のエアロック式ワーク吸引システム１０は様々な用途で使用することができるワーク吸引システムである。
【符号の説明】
【００２５】
１０：エアロック式ワーク吸引システム、１２：ワーク、１４：ワーク吸引機構、１６：エアロック式セパレータ、１８：ブロア、２０：コンベアベルト、２２：セパレータ本体部、２２Ａ：カバー体、２４：円板状羽根支持板、２６：回転中心軸、２８：羽根板、３０：ドラム体、３２：エアー導入部、３４：エアー排出部、３６：逆洗エアー導入部、３８：捕集物圧縮機、４０：集塵機、４２：モータ、４４：覗き窓、４６：開閉扉、４８：底板、５０：取り出し用開口部、５２：タワー、Ａ１，Ａ２：エアー、Ｂ１：逆洗エアー、ＡＳ：エアー流、Ｘ：ドラム体の回転方向。
【図１】
0003214135.tif 000003
【図２】
0003214135.tif 000004
【図３】
0003214135.tif 000005
【図４】
0003214135.tif 000006